(57)【要約】【課題】  針本体に傷を付けずに指針軸に良好に取り付けることができる指針およびそれを備えた時計を提供する【解決手段】  指針軸５が挿入して取り付けられる金属製の針取付部材８と、この針取付部材８の外周面に形成された合成樹脂製の針本体７と、を備え、指針軸５の挿入側と反対側に位置する針取付部材８の上面が、これと同じ面方向に位置する針本体７の上面よりも、指針軸５の挿入側と反対側に向けて突出している。従って、針取付部材８に指針軸５を取り付ける際に、取付冶具１４の外周部が針取付部材８の外径よりも大きくても、取付冶具１４と針本体７との間に隙間Ｓ１を設けることができるので、針本体７に傷を付けずに針取付部材８を指針軸５に良好に取り付けることができる。【選択図】        図３
2019002754.tif 000002
【特許請求の範囲】
【請求項１】
指針軸が挿入して取り付けられる金属製の針取付部材と、
前記針取付部材の外周面に形成された合成樹脂製の針本体と、
を備え、
前記指針軸の挿入側と反対側に位置する前記針取付部材の一面が、これと同じ面方向に位置する前記針本体の一面よりも、前記指針軸の前記挿入側と反対側に向けて突出していることを特徴とする指針。
【請求項２】
請求項１に記載の指針において、前記針取付部材は、前記一面が前記針本体の前記一面と同一平面上に位置した状態で、前記針取付部材の前記一面に前記指針軸の前記挿入側と反対側に向けて突出する突出部が設けられていることを特徴とする指針。
【請求項３】
請求項１に記載の指針において、前記針本体の前記一面には、前記針取付部材の前記一面の外周部からその径方向に向けて離れるに従って、前記針取付部材の前記一面よりも次第に低くなる傾斜面が形成されていることを特徴とする指針。
【請求項４】
請求項１に記載の指針において、前記針本体の前記一面は、前記針取付部材の前記一面よりも低い位置に形成されていることを特徴とする指針。
【請求項５】
請求項１〜請求項４のいずれかに記載の指針において、前記針取付部材の前記一面よりも低い前記針本体の前記一面の領域は、前記針取付部材に前記指針軸を取り付けるための取付冶具が対応する範囲内であることを特徴とする指針。
【請求項６】
請求項１〜請求項５のいずれかに記載の指針において、前記針取付部材は、前記指針軸が挿入して取り付けられる筒状部と、前記筒状部の外周面における軸方向の両端に互いに対向して設けられた一対の鍔状部と、を備えており、前記針本体は、前記筒状部の外周面に接する貫通孔を備え、前記貫通孔における軸方向の両端に位置する縁部に前記一対の鍔状部が食い込んで前記一対の鍔状部間に挟まれた状態で、インサート成型によって前記針取付部材に一体に形成されていることを特徴とする指針。
【請求項７】
請求項１〜請求項６のいずれかに記載の指針において、前記針取付部材の前記筒状部は、その外周面が非円形状に形成されており、前記針本体の前記貫通孔は、その内周面が前記筒状部の外周面と同じ非円形状に形成されていることを特徴とする指針。
【請求項８】
請求項１〜請求項７のいずれかに記載された指針を備えていることを特徴とする時計。
【発明の詳細な説明】
【技術分野】
【０００１】
この発明は、時計やメータなどの計器類に用いられる指針およびそれを備えた時計に関する。
【背景技術】
【０００２】
例えば、時計に用いられている指針においては、特許文献１に記載されているように、合成樹脂製の針本体をハカマと称する金属製の針取付部材の外周にインサート成型によって一体に形成した構造のものが知られている。
【先行技術文献】
【特許文献】
【０００３】
【特許文献１】特開２０１５−１１４２９５号公報
【０００４】
この種の指針の針取付部材は、指針軸が挿入する筒状部の外周面における軸方向の両端に一対の鍔状部を互いに対向させて設けた構造になっている。また、針本体は、針取付部材の筒状部の外周面に接する貫通孔を備え、この貫通孔における軸方向の両端に位置する縁部に一対の鍔状部が食い込んで一対の鍔状部間に挟まれた状態で、筒状部の外周に一体に設けられる構造になっている。
【発明の概要】
【発明が解決しようとする課題】
【０００５】
しかしながら、このような指針では、指針軸が挿入して取り付けられる指針の挿入側と反対側に位置する針取付部材の筒状部の一面が、これと同じ面方向に位置する針本体の一面と同一平面上に配置されているため、針取付部材の筒状部に指針軸を挿入させて取付冶具によって指針軸に取り付ける際に、取付冶具の外径が針取付部材の外径よりも大きく形成されていると、その取付冶具の外周部の一部が針本体の一面に接触して傷を付け易いという問題がある。
【０００６】
この発明が解決しようとする課題は、針本体に傷を付けずに指針軸に良好に取り付けることができる指針およびそれを備えた時計を提供することである。
【課題を解決するための手段】
【０００７】
この発明は、指針軸が挿入して取り付けられる金属製の針取付部材と、前記針取付部材の外周面に形成された合成樹脂製の針本体と、を備え、前記指針軸の挿入側と反対側に位置する前記針取付部材の一面が、これと同じ面方向に位置する前記針本体の一面よりも、前記指針軸の前記挿入側と反対側に向けて突出していることを特徴とする指針である。
【発明の効果】
【０００８】
この発明によれば、針取付部材に指針軸を取り付ける際に、取付冶具の外周部が針取付部材の外径よりも大きくても、取付冶具と針本体との間に隙間を設けることができるので、針本体に傷を付けずに針取付部材を指針軸に良好に取り付けることができる。
【図面の簡単な説明】
【０００９】
【図１】この発明を腕時計に適用した第１実施形態における時計モジュールを示した要部の拡大断面図である。
【図２】図１に示された指針を上方から見た拡大平面図である。
【図３】図２に示された指針のＡ−Ａ矢視における要部の拡大断面図である。
【図４】図２に示された指針の針本体を示した拡大平面図である。
【図５】図３に示された指針の針取付部材を示し、（ａ）はその拡大平面図、（ｂ）は（ａ）のＢ−Ｂ矢視における拡大断面図、（ｃ）は（ｂ）のＣ−Ｃ矢視における拡大断面図である。
【図６】この発明を腕時計に適用した第２実施形態における指針を示した拡大平面図である。
【図７】図６に示された指針のＤ−Ｄ矢視における要部の拡大断面図である。
【図８】この発明を腕時計に適用した第３実施形態における指針を示した拡大平面図である。
【図９】図８に示された指針のＥ−Ｅ矢視における要部の拡大断面図である。
【発明を実施するための形態】
【００１０】
（第１実施形態）
以下、図１〜図５を参照して、この発明を腕時計に適用した第１実施形態について説明する。
この腕時計は、図１に示すように、時計モジュール１を備えている。この時計モジュール１は、腕時計ケース（図示せず）内に組み込まれるものであり、ハウジング２を備えている。このハウジング２の上面には、文字板３が配置されており、ハウジング２の内部には、時計ムーブメント４が設けられている。
【００１１】
この時計ムーブメント４は、図１に示すように、文字板３の貫通孔３ａを通して文字板３の上方に突出する指針軸５を備え、この指針軸５の上端部に指針６が取り付けられるように構成されている。これにより、時計ムーブメント４は、指針軸５を回転させて、指針６を文字板３の上方で運針させることにより、時刻を指示するように構成されている。
【００１２】
この場合、指針６は、図１〜図３に示すように、針本体７とハカマと称する針取付部材８とを備え、この針取付部材８が指針軸５に取り付けられるように構成されている。針本体７は、合成樹脂からなる細長い板状に形成されている。すなわち、この針本体７は、図２および図４に示すように、一端部７ａ（図４では左端部）が幅広で、他端部７ｂ（図４では右端部）に向かうに従って次第に先細になる形状の板状に形成されている。
【００１３】
このため、針本体７は、図４に示すように、その長手方向における一端部７ａ（図４では左端部）側に大きく偏った位置に重心Ｇ１が位置するように構成されている。この場合、針本体７は、その重心Ｇ１に対応する部分の外形が側方に突出する円形部７ｃに形成されている。この針本体７の円形部７ｃには、非円形状である四角形状の貫通孔９が上下に貫通して設けられている。これにより、針本体７は、その貫通孔９の中心軸上に重心Ｇ１が位置するように構成されている。
【００１４】
すなわち、この針本体７は、図４に示すように、貫通孔９を境にして一端部７ａ側（図４では左側）の長さが、他端部７ｂ側（図４では右側）の長さよりも短く形成されている。また、この針本体７は、一端部７ａ側がその先端部（図４では左端部）から貫通孔９に向けて次第に幅狭になり、他端部７ｂ側がその貫通孔９から先端部（図４では右端部）に向けて次第に先細になるように形成されている。これにより、針本体７は、その重心Ｇ１が貫通孔９の中心軸とほぼ一致するように形成されている。
【００１５】
一方、針取付部材８は、図３および図５に示すように、その内部に指針軸５が挿入する筒状部１０と、この筒状部１０の外周面に設けられた上下一対の鍔状部１１と、を備えている。この場合、針取付部材８は、真鍮やアルミニウムなどの金属で形成されているが、比重の重い真鍮で形成されていることが望ましい。
【００１６】
この針取付部材８の筒状部１０は、図５（ａ）〜図５（ｃ）に示すように、その中心部に円形状の軸取付孔１２が上下に貫通して設けられている。この場合、軸取付孔１２は、指針軸５が挿入して嵌着する大きさに形成されており、その内周面における下端の縁部には、面取り部１２ａが設けられている。
【００１７】
また、この筒状部１０は、図５（ａ）〜図５（ｃ）に示すように、その外周面が針本体７の貫通孔９と同じ形状でかつ同じ大きさの非円形状である四角形状に形成されている。この場合、筒状部１０は、四角形状の外周面の中心（つまり、２つの対角線が交差する点）と軸取付孔１２の中心とが一致するように形成されている。これにより、筒状部１０は、その外形が四角形に形成され、内部が円形状に形成された筒状に形成されている。
【００１８】
また、一対の鍔状部１１は、図５（ａ）〜図５（ｃ）に示すように、筒状部１０の軸方向に位置する外周面の上端部と下端部とに、それぞれ上下に対向した状態で一体に形成されている。すなわち、これら一対の鍔状部１１は、それぞれ各直径が筒状部１０の四角形状の外周面における対角線の長さと同じか、それよりも大きい円形のリング形状に形成されている。
【００１９】
この場合、針取付部材８は、図５（ａ）〜図５（ｃ）に示すように、その形状が点対称に形成されている。これにより、針取付部材８は、その重心Ｇ２が針取付部材８の中心軸上に位置するように構成されている。このため、針取付部材８と針本体７とは、針取付部材８の重心Ｇ２と針本体７の重心Ｇ１とが同一軸上に位置するように構成されている。すなわち、針取付部材８の筒状部１０における軸取付孔１２の中心軸と、針本体７の貫通孔９の中心軸とは、同一軸上で一致している。
【００２０】
また、この針取付部材８は、図３および図５に示すように、筒状部１０に指針軸５が挿入する指針軸５の挿入側（図３では下側）と反対側（図３では上側）に位置する針取付部材８の一面である上面に、これと同じ面方向に位置する針本体７の一面である上面よりも、指針軸５の挿入側と反対側である上方に向けて突出する突出部１３が設けられている。
【００２１】
この突出部１３は、図３および図５に示すように、針取付部材８の上面、つまり上部側に位置する鍔状部１１の上面が、針本体７の上面と同一平面上に位置した状態で、針取付部材８の筒状部１０に、針取付部材８における上部側に位置する鍔状部１１の上面よりも上方、つまり指針軸５の挿入側と反対側に位置する上方に向けて突出している。
【００２２】
すなわち、突出部１３は、図３および図５に示すように、その内径が筒状部１０の内径と同じ大きさで、外径が筒状部１０の外形の四角形に内接する円よりも少し大きい円形状に形成されている。また、この突出部１３は、針取付部材８における上部側に位置する鍔状部１１の上面よりも上方に突出する突出長さが、筒状部１０に挿入された指針軸５の挿入側と反対側に突出する突出長さとほぼ同じか、それよりも長く形成されている。
【００２３】
これにより、この突出部１３は、図３に示すように、針取付部材８の筒状部１０に指針軸５を下側から挿入させて取り付けるために、たがねと称する取付冶具１４を上方から配置させた際に、取付冶具１４の下面と針本体７の上面との間に隙間Ｓ１を設けるように構成されている。
【００２４】
すなわち、この取付冶具１４は、図３に示すように、その外径が針取付部材８の鍔状部１１の外径よりも大きく形成され、その下面が鍔状部１１の外周側に位置する針本体７の上面に位置して対応する大きさに形成されている。また、この取付冶具１４は、突出部１３の上面に配置される下面が平坦面に形成され、指針軸５の上端部を筒状部１０内に圧入させた際に、指針軸５の上端部が針取付部材８の突出部１３によって接触しないように構成されている。
【００２５】
この場合、針本体７は、図２〜図４に示すように、針取付部材８の突出部１３よりも低い針本体７の上面の領域Ｅ１が、取付冶具１４の下面に対応する範囲内であれば良い。このため、針本体７の領域Ｅ１の範囲外に位置する針本体７の上面は、必ずしも針取付部材８の上部側に位置する鍔状部１１の上面と同一平面上に配置されている必要はなく、針取付部材８の突出部１３よりも高く形成されていても良い。
【００２６】
ところで、針本体７は、図３に示すように、インサート成型によって針取付部材８に一体に形成されている。すなわち、この針本体７は、射出成型用の金型（図示せず）内に金属製の針取付部材８を配置し、この状態で成型用の合成樹脂を金型内に注入することにより、針取付部材８に一体に成型されている。
【００２７】
これにより、針本体７は、図３に示すように、その四角形状の貫通孔９の内周面が針取付部材８の筒状部１０の外周面に密着し、かつ貫通孔９における軸方向の上端部と下端部とに位置する縁部９ａに一対の鍔状部１１が食い込んで貫通孔９の縁部９ａ間が針取付部材８の一対の鍔状部１１間に挟まれた状態で、針取付部材８に一体に形成されている。
【００２８】
この場合、針本体７は、針取付部材８の上部側に上位置する鍔状部１１の上面が、針本体７の上面と同一平面上に位置した状態で、針本体７の厚みが針取付部材８の一対の鍔状部１１間の長さよりも厚く、かつ針取付部材８全体の厚み、つまり一対の鍔状部１１の上端面と下端面との長さよりも少し厚く形成されている。
【００２９】
すなわち、この針本体７は、図３に示すように、その上面が針取付部材８の上面、つまり上部側の鍔状部１１の上面と同じ平面上にフラットな状態で形成されている。また、この針本体７は、その下面が針取付部材８の下面、つまり下部側の鍔状部１１の下面よりも少し下側に突出し、この突出した部分が下部側の鍔状部１１の下面に配置された状態で形成されている。
【００３０】
次に、この指針６を製作する場合について説明する。
この場合には、予め、金属製の針取付部材８を切削加工や鋳造によって製作する。これにより、針取付部材８は、外形が四角形で、内部が円形状に形成された筒状部１０の外周面に、一対の鍔状部１１が上下に対向して一体に形成され、かつ筒状部１０の上面に突出部１３が形成される。このように形成された針取付部材８は、その重心Ｇ２が針取付部材８の中心軸、つまり筒状部１０の軸取付孔１２の中心軸と一致した状態で形成される。
【００３１】
そして、針本体７を成型する場合には、まず、針取付部材８を射出成型用の金型（図示せず）内に配置する。このときには、針取付部材８の筒状部１０の上面に突出部１３が形成されていることにより、上金型と下金型とからなる金型のうち、上金型の内面に突出部１３が配置される逃し部が設けられている。このため、針取付部材８の上部側に位置する鍔状部１１の上面に上金型の内面が密接することになる。
【００３２】
この状態で、成型用の合成樹脂を金型内に注入すると、針本体７が金型内で針取付部材８に一体に形成された状態で成型される。この後、金型を離型して針取付部材８と共に針本体７を金型内から取り出す。このときには、針取付部材８の上部側に位置する鍔状部１１の上面に上金型の内面が密接されているため、鍔状部１１の外周部に針本体７のバリが発生することがない。これにより、指針６が製作される。
【００３３】
このように製作された指針６は、図３に示すように、針本体７の上面が針取付部材８の上面に設けられた突出部１３の上面よりも低い状態で、針本体７が針取付部材８に一体に形成されている。また、このときには、針本体７の四角形状の貫通孔９の内周面が針取付部材８の筒状部１０の四角形状の外周面に密着し、かつ貫通孔９の縁部９ａ間が針取付部材８の一対の鍔状部１１間に挟まれ、この状態で針取付部材８に一体に形成されている。
【００３４】
このため、針本体７は、図３に示すように、その四角形状の貫通孔９の内周面が針取付部材８の筒状部１０の四角形状の外周面に密着して、貫通孔９に筒状部１０が嵌合する。これにより、針本体７は、針取付部材８の筒状部１０に対して回転することがなく、筒状部１０と共に一体に回転する。また、この針本体７は、貫通孔９の縁部９ａ間が針取付部材８の一対の鍔状部１１間に挟まれていることにより、筒状部１０から抜けたり、筒状部１０の軸方向にガタついたりすることがない。
【００３５】
次に、このように製作された指針６を指針軸５に取り付ける場合について説明する。
この場合には、針取付部材８の筒状部１０内に指針軸５の上端部を下側から挿入させた状態、針取付部材８の突出部１３の上面にたがねと称する取付冶具１４を配置する。この状態で、取付冶具１４を上方から叩いて針取付部材８の筒状部１０内に指針軸５の上端部を圧入させる。
【００３６】
このときには、針取付部材８の突出部１３の上面に配置された取付冶具１４の下面と、これに対向する針本体７の上面との間に、針取付部材８の突出部１３によって隙間Ｓ１が設けられる。このため、取付冶具１４を上方から叩いて針取付部材８の筒状部１０内に指針軸５の上端部を圧入させる際に、取付冶具１４の下面が針本体７の上面に接触して傷を付けることがなく、指針軸５に指針６が確実にかつ良好に取り付けられる。
【００３７】
このように、取付冶具１４によって針取付部材８の筒状部１０内に指針軸５の上端部を圧入させた際には、針取付部材８の突出部１３によって指針軸５の上端部が取付冶具１４の下面に接触することがないので、これによっても指針軸５に指針６が良好に取り付けられる。
【００３８】
この場合、この取付冶具１４は、指針６が秒針、分針、時針などのように異なる大きさであっても、針取付部材８の外径が最も大きい時針に対する大きさの取付冶具１４を用いることにより、異なる大きさの指針６ごとに取付冶具１４を交換する必要がないので、取付冶具１４の共通化が図れる。
【００３９】
また、このように指針軸５に取り付けられた指針６は、針取付部材８の中心軸である筒状部１０の中心軸と針本体７の貫通孔９の中心軸と、指針軸５の中心軸とが同一軸上で一致し、この同一軸上に針取付部材８の重心Ｇ２と針本体７の重心Ｇ１とが位置する。これにより、指針６は、針取付部材８に対して針本体７の一端部７ａと他端部７ｂとの長さが異なっていても、指針軸５と共に回転する際に、バランスよく回転する。
【００４０】
このように、この腕時計の指針６によれば、指針軸５が挿入して取り付けられる金属製の針取付部材８と、この針取付部材８の外周面にインサート成型によって一体に形成された合成樹脂製の針本体７と、を備え、指針軸５の挿入側と反対側に位置する針取付部材８の上面が、これと同じ面方向に位置する針本体７の上面よりも、指針軸５の挿入側と反対側の上方に向けて突出していることにより、針本体７に傷を付けずに針取付部材８を指針軸５に良好に取り付けることができる。
【００４１】
すなわち、この腕時計の指針６では、取付冶具１４を針取付部材８の上面に配置させて針取付部材８を指針軸５に取り付ける際に、取付冶具１４の下面における外周部が針取付部材８の外径よりも大きくても、取付冶具１４と針本体７との間に隙間Ｓ１を設けることができ、これにより取付冶具１４の下面が針本体７の上面に接触することがないので、取付冶具１４が針本体７の上面に傷を付けずに指針軸５に針取付部材８を良好に取り付けることができる。
【００４２】
この場合、針取付部材８は、その上面が針本体７の上面と同一平面上に位置した状態で、針取付部材８の上面に指針軸５の挿入側と反対側である上方に向けて突出する突出部１３が設けられていることにより、針取付部材８を指針軸５に取り付ける際に、取付冶具１４を針取付部材８の突出部１３の上面に配置させることができる。
【００４３】
このため、この指針６では、針取付部材８を指針軸５に取り付ける際に、針取付部材８の上面に設けられた突出部１３によって、取付冶具１４の下面と針本体７の上面との間に隙間Ｓ１を設けることができ、この隙間Ｓ１によって取付冶具１４の下面が針本体７の上面に接触するのを確実に防ぐことができるので、針本体７の上面に傷を付けずに指針軸５に針取付部材８を確実にかつ良好に取り付けることができる。
【００４４】
この場合、取付冶具１４は、その下面が平坦面に形成されていても、針取付部材８の筒状部１０内に指針軸５の上端部を圧入させる際に、指針軸５の上端部が取付冶具１４の下面に接触することがないので、指針軸５に指針６を良好に取り付けることができる。また、この取付冶具１４は、指針６が秒針、分針、時針などのように異なる大きさであっても、針取付部材８の外径が最も大きい時針に対する大きさの取付冶具１４を用いることにより、異なる大きさの指針６ごとに取付冶具１４を変える必要がなく、取付冶具１４の共通化を図ることができる。
【００４５】
また、この指針６では、針取付部材８の筒状部１０の上面に突出部１３が形成されていることにより、射出成型用の金型のうち、上金型の内面に突出部１３が配置される逃し部を設け、この逃し部によって針取付部材８の上部側に位置する鍔状部１１の上面に上金型の内面を密接させることができるので、射出成型用の金型で針本体７を針取付部材８に一体に成型した際に、鍔状部１１の外周部に針本体７によるバリの発生を防ぐことができる。
【００４６】
また、この指針６では、針取付部材８の一面である上面よりも低い針本体７の一面である上面の領域Ｅ１が、針取付部材８に指針軸５を取り付けるための取付冶具１４の下面が対応する範囲内であることにより、針本体７の領域Ｅ１の範囲外に位置する針本体７の上面を針取付部材８の突出部１３よりも高く形成しても、取付冶具１４が針本体７に接触することがないので、針本体７の上面に傷を付けることがない。
【００４７】
このため、この指針６では、針本体７の領域Ｅ１の範囲外に位置する針本体７の上面を、針取付部材８の上部側に位置する鍔状部１１の上面と同一平面上に位置させる必要がなく、針本体７の領域Ｅ１の範囲外に位置する針本体７の上面を針取付部材８の突出部１３よりも高く形成することができるので、針本体７のデザイン性の自由度を高めることができる。
【００４８】
また、この指針６では、指針軸５が挿入して取り付けられる筒状部１０と、この筒状部１０の外周面における軸方向の両端である上端部と下端部とに互いに対向して設けられた一対の鍔状部１１と、を備えており、針本体７は、筒状部１０の外周面に接する貫通孔９を備え、この貫通孔９における軸方向の両端である上端部と下端部とに位置する縁部９ａに一対の鍔状部１１が食い込んで縁部９ａ間が一対の鍔状部１１間に挟まれた状態で、インサート成型によって針取付部材８に一体に形成されていることにより、指針６を容易に製作することができる。
【００４９】
すなわち、この指針６では、針本体７の貫通孔９の縁部９ａに針取付部材８の一対の鍔状部１１が食い込んで針本体７の貫通孔９の縁部９ａが一対の鍔状部１１間に挟まれていることにより、針本体７が筒状部１０から軸方向に抜けたり、筒状部１０の軸方向にガタついたりすることがなく、針本体７を針取付部材８に確実にかつ良好に一体に形成することができる。
【００５０】
この場合、この指針６では、針取付部材８の筒状部１０の外周面が非円形状である四角形状に形成され、針本体７の貫通孔９の内周面が筒状部１０の外周面と同じ非円形状である四角形状に形成されていることにより、針本体７が針取付部材８の筒状部１０に対して回転することがなく、筒状部１０と共に針本体７を確実にかつ良好に一体に回転させることができる。
【００５１】
なお、上述した第１実施形態では、針取付部材８の上面にその上方に突出して設けられた突出部１３を平坦状に形成した場合について述べたが、この発明はこれに限らず、例えば、針取付部材８の上面にその中心軸から外周側に向けて傾斜する傾斜部に形成しても良い。この場合にも、中心軸側に位置する傾斜部の上端部は、外周側に位置する傾斜部の下端部よりも指針軸５の上端部の突出長さと同じか、それよりも長く形成されていることが望ましい。
【００５２】
また、この発明は、前述した傾斜部に限らず、例えば、針取付部材８の上面に山形状の突出部を環状に形成しても良い。この場合にも、その山形状の突出部は、その突出長さが指針軸５の上端部の突出長さと同じか、それよりも長く形成されていることが望ましい。
【００５３】
（第２実施形態）
次に、図６および図７を参照して、この発明を腕時計に適用した第２実施形態について説明する。なお、図１〜図５に示された第１実施形態と同一部分には同一符号を付して説明する。
この腕時計は、図６および図７に示すように、指針２０の針本体２１の形状および針取付部材２２に対する針本体２１の取付状態が第１実施形態と異なる構造であり、これ以外は第１実施形態とほぼ同じ構造になっている。
【００５４】
すなわち、この針本体２１は、図６および図７に示すように、リング部２３内に飛行機形状の針部２４を設けた形状で、全体がほぼ円板状に形成されている。すなわち、この針本体２１は、飛行機形状の針部２４の先端部２４ａがリング部２３の切欠き部２３ａ内に突出して形成されている。
【００５５】
また、この針本体２１は、図６および図７に示すように、飛行機形状の針部２４の主翼の両端部と尾翼とがリング部２３の内周部と一体に形成されている。これにより、針本体２１は、リング部２３の内周部と飛行機形状の針部２４の外周部との間に複数（この第２実施形態では４個）の抜き孔２１ａが設けられている。
【００５６】
また、この針本体２１の中心部、つまり飛行機形状の針部２４の中心でかつリング部２３の中心に位置する個所には、図６および図７に示すように、四角形状の貫通孔２５が設けられている。この場合、貫通孔２５は、１２時と６時とを結ぶ直線方向に長い長方形状に形成されている。
【００５７】
一方、針取付部材２２は、第１実施形態と同様、その内部に指針軸５が挿入する筒状部１０と、この筒状部１０の外周面に設けられた上下一対の鍔状部１１と、を備えている。この場合、筒状部１０は、その中心部に指針軸５が挿入して嵌着する円形状の軸取付孔１２が上下に貫通して設けられている。この軸取付孔１２の内周面における下端の縁部には、面取り部１２ａが設けられている。
【００５８】
また、この筒状部１０は、図６および図７に示すように、その外周面が針本体２１の貫通孔２５と同じ形状でかつ同じ大きさの非円形状である長方形の四角形状に形成されている。一対の鍔状部１１は、筒状部１０の軸方向に位置する外周面の上端部と下端部とに、それぞれ上下に対向した状態で一体に形成されている。これら一対の鍔状部１１は、それぞれ筒状部１０の軸取付孔１２の中心軸Ｓ２を中心とする円形状のリング形状に形成されている。
【００５９】
また、この針取付部材２２は、図６および図７に示すように、筒状部１０に指針軸５が挿入する指針軸５の挿入側（図７では下側）と反対側（図７では上側）に位置する針取付部材２２の一面である上面が、これと同じ面方向に位置する針本体２１の一面である上面よりも、指針軸５の挿入側と反対側である上方に向けて突出するように構成されている。
【００６０】
すなわち、針本体２１の一面である上面には、図７に示すように、針取付部材２２の一面である上面の外周部、つまり上部側に位置する鍔状部１１の外周部からその径方向に向けて離れるに従って、針取付部材２２の上面よりも次第に低くなる傾斜面２６が形成されている。
【００６１】
これにより、針本体２１の傾斜面２６は、図７に示すように、針取付部材２２の筒状部１０に指針軸５を下側から挿入させて取り付けるために、たがねと称する取付冶具２７を上方から配置させた際に、取付冶具２７の下面と針本体７の上面との間に隙間Ｓ２を設けるように構成されている。
【００６２】
すなわち、この取付冶具２７は、図７に示すように、その外径が針取付部材２２の鍔状部１１の外径よりも大きく形成され、その下面が鍔状部１１の外周側に位置する針本体２１の上面に位置して対応する大きさに形成されている。また、この取付冶具２７は、針取付部材２２の上面に配置される下面に、筒状部１０から上方に突出する指針軸５の上端部が挿入する逃し凹部２７ａが設けられている。
【００６３】
この場合、針本体２１は、図６および図７に示すように、針取付部材２２の上面よりも低い針本体２１の傾斜面２６の領域Ｅ２が、取付冶具２７の下面に対応する範囲内であれば良い。このため、傾斜面２６の領域Ｅ２の範囲外に位置する針本体２１の上面は、必ずしも傾斜面２６に形成されている必要はなく、針取付部材２２の上面と同じか、それよりも高く形成されていても良い。
【００６４】
この場合にも、針本体２１は、図７に示すように、インサート成型によって針取付部材２２に一体に形成されている。すなわち、この針本体２１も、第１実施形態と同様、射出成型用の金型（図示せず）内に金属製の針取付部材２２を配置し、この状態で成型用の合成樹脂を金型内に注入することにより、針取付部材２２に一体に成型されている。
【００６５】
これにより、針本体２１は、図７に示すように、その四角形状の貫通孔２５の内周面が針取付部材２２の筒状部１０の外周面に密着し、かつ貫通孔２５の縁部２５ａ間が針取付部材２２の一対の鍔状部１１間に挟まれた状態で、針取付部材２２に一体に形成されている。この場合にも、針本体２１は、その厚みが針取付部材２２全体の厚み、つまり一対の鍔状部１１の上端面と下端面との長さよりも少し厚く形成されている。
【００６６】
すなわち、この針本体２１は、図７に示すように、その上面が針取付部材２２の上面、つまり上部側の鍔状部１１の外周部からその径方向に向けて傾斜した状態で形成されている。また、この針本体２１は、その下面が針取付部材２２の下面、つまり下部側の鍔状部１１の下面よりも少し下側に突出し、この突出した部分が下部側の鍔状部１１の下面に配置された状態で形成されている。
【００６７】
次に、このように製作された指針２０を指針軸５に取り付ける場合について説明する。
この場合には、針取付部材２２の筒状部１０内に指針軸５の上端部を下側から挿入させた状態、針取付部材２２の上面にたがねと称する取付冶具２７を配置させて、取付冶具２７の下面に設けられた逃し凹部２７ａを指針軸５に対応させる。この状態で、取付冶具２７を上方から叩いて針取付部材２２の筒状部１０内に指針軸５の上端部を圧入させる。
【００６８】
このときには、指針軸５の上端部が筒状部１０の上方に突出しても、その突出した指針軸５の上端部が取付冶具２７の逃し凹部２７ａ内に接触することなく配置される。このため、指針軸５の上端部を針取付部材２２の筒状部１０内に確実にかつ良好に圧入させて、指針軸５に指針６が取り付けられる。
【００６９】
また、このときには、針取付部材２２の上面に配置された取付冶具２７の下面と、これに対向する針本体２１の上面との間に、針本体２１に設けられた傾斜面２６によって隙間Ｓ２が設けられる。このため、取付冶具１４を上方から叩いて針取付部材２２の筒状部１０内に指針軸５の上端部を圧入させる際に、取付冶具２７の下面が針本体２１の上面に接触して傷を付けることがなく、指針軸５に指針６が確実にかつ良好に取り付けられる。
【００７０】
このように、この指針２０によれば、取付冶具２７を針取付部材２２の上面に配置させて針取付部材２２を指針軸５に取り付ける際に、指針軸５の挿入側と反対側に位置する針取付部材２２の上面が、これと同じ面方向に位置する針本体２１の上面よりも、指針軸５の挿入側と反対側の上方に位置しているので、第１実施形態と同様、取付冶具２７の下面における外周部が針取付部材２２の外径よりも大きくても、取付冶具２７と針本体２１との間に隙間Ｓ２を設けることができ、これにより取付冶具２７の下面が針本体２１の上面に接触することがないので、取付冶具２７が針本体２１の上面に傷を付けずに指針軸５に針取付部材２２を良好に取り付けることができる。
【００７１】
すなわち、この指針２０では、針本体２１の上面に、針取付部材２２の上面の外周部からその径方向に向けて離れるに従って、針取付部材２２の上面よりも次第に低くなる傾斜面２６が形成されていることにより、取付冶具２７を針取付部材２２の上面に配置させた際に、針本体２１の上面に設けられた傾斜面２６によって、取付冶具２７の下面と針本体２１の上面との間に隙間Ｓ２を設けることができる。
【００７２】
このため、この指針２０では、針取付部材２２を指針軸５に取り付けるために、取付冶具２７を針取付部材２２の上面に配置させた際に、取付冶具２７の下面と針本体２１の上面との間に設けられた隙間Ｓ２によって、取付冶具２７の下面が針本体２１の上面に接触するのを確実に防ぐことができるので、針本体２１の上面に傷を付けずに指針軸５に針取付部材２２を良好に取り付けることができる。
【００７３】
また、この指針２０では、針取付部材２２の上面よりも低い針本体７の上面の傾斜面２６の領域Ｅ２が、針取付部材２２に指針軸５を取り付けるための取付冶具２７が対応する範囲内であることにより、針本体２１の領域Ｅ２の範囲外に位置する針本体２１の上面を針取付部材２２の上面と同じか、それよりも高く形成しても、取付冶具２７が針本体２１の接触することがないので、針本体２１の上面に傷を付けることがない。
【００７４】
このため、この指針２０では、針本体２１の領域Ｅ２の範囲外に位置する針本体２１の上面を、必ずしも傾斜面２６に形成する必要はなく、針取付部材２２の上面と同じか、それよりも高く形成することができるので、第１実施形態と同様、針本体２１のデザイン性の自由度を高めることができる。
【００７５】
（第３実施形態）
次に、図８および図９を参照して、この発明を腕時計に適用した第３実施形態について説明する。この場合にも、図１〜図５に示された第１実施形態と同一部分には同一符号を付して説明する。
この腕時計は、図８および図９に示すように、指針３０の針取付部材３１に対する針本体３２の取付状態が第１実施形態と異なる構造であり、これ以外は第１実施形態とほぼ同じ構造になっている。
【００７６】
すなわち、針取付部材３１は、図８および図９に示すように、第１実施形態と同様、その内部に指針軸５が挿入する筒状部１０と、この筒状部１０の外周面に設けられた上下一対の鍔状部１１と、を備えている。この場合、筒状部１０は、その中心部に指針軸５が挿入して嵌着する円形状の軸取付孔１２が上下に貫通して設けられている。この軸取付孔１２の内周面における下端の縁部には、面取り部１２ａが設けられている。
【００７７】
また、この筒状部１０は、図８および図９に示すように、第１実施形態と同様、その外周面が針本体３２の貫通孔９と同じ形状で、かつ同じ大きさの非円形状である四角形状に形成されている。一対の鍔状部１１は、筒状部１０の軸方向に位置する外周面の上端部と下端部とに、それぞれ上下に対向した状態で一体に形成されている。
【００７８】
針本体３２は、図８および図９に示すように、第１実施形態と同様、合成樹脂からなる細長い板状に形成されている。すなわち、この針本体３２は、一端部３２ａ（図８では左端部）が幅広で、他端部３２ｂ（図８では右端部）に向かうに従って次第に先細になる形状の板状に形成されている。
【００７９】
このため、この針本体３２は、図８に示すように、その長手方向における一端部３２ａ側に大きく偏った位置に重心Ｇ１が位置するように構成されている。この場合、針本体３２は、その重心Ｇ１に対応する部分の外形が円形部３２ｃに形成されている。この針本体３２の円形部３２ｃには、非円形状である四角形状の貫通孔９が上下に貫通して設けられている。これにより、針本体３２は、その貫通孔９の中心軸上に重心Ｇ１が位置するように構成されている。
【００８０】
ところで、この指針３０は、図８および図９に示すように、指針軸５の挿入側（図９では下側）と反対側（図９では上側）に位置する針取付部材３１の上面が、これと同じ面方向に位置する針本体３２の上面よりも、高く形成されている。つまり、この指針３０は、針本体３２の上面が針取付部材３１の上面よりも低く形成されている。
【００８１】
これにより、この指針３０は、図９に示すように、針取付部材３１の筒状部１０に指針軸５を下側から挿入させて取り付けるために、たがねと称する取付冶具３３を上方から配置させた際に、取付冶具３３の下面と針本体３２の上面との間に隙間Ｓ３が設けられるように構成されている。
【００８２】
この場合にも、取付冶具３３は、図９に示すように、第１実施形態と同様、その外径が針取付部材３１の鍔状部１１の外径よりも大きく形成され、その下面が針取付部材３１の鍔状部１１の外周側に位置する針本体３２の上面に位置する大きさに形成されている。また、この取付冶具３３は、針取付部材３１の上面に配置される下面に、筒状部１０から上方に突出する指針軸５の上端部が挿入する逃し凹部３３ａが設けられている。
【００８３】
この場合にも、針本体３２は、図８および図９に示すように、針取付部材３１の上面よりも低い針本体３２の上面の領域Ｅ３が、取付冶具３３の下面に対応する範囲内であれば良い。このため、針本体３２の領域Ｅ３の範囲外に位置する針本体３２の上面は、必ずしも針取付部材３１の上面よりも低く形成されている必要はなく、針取付部材３１の上面と同じか、それよりも高く形成されていても良い。
【００８４】
また、針本体３２は、第１実施形態と同様、インサート成型によって針取付部材３１に一体に形成されている。すなわち、この針本体３２は、射出成型用の金型（図示せず）内に金属製の針取付部材３１を配置し、この状態で成型用の合成樹脂を金型内に注入することにより、針取付部材３１に一体に成型されている。
【００８５】
これにより、針本体３２は、図９に示すように、その四角形状の貫通孔９の内周面が針取付部材３１の筒状部１０の外周面に密着し、かつ貫通孔９における軸方向の上端部と下端部とに位置する縁部９ａに一対の鍔状部１１が食い込んで貫通孔９の縁部９ａ間が針取付部材８の一対の鍔状部１１間に挟まれた状態で、針取付部材８に一体に形成されている。
【００８６】
このような指針３０によれば、指針軸５の挿入側と反対側に位置する針取付部材３１の上面が、これと同じ面方向に位置する針本体３２の上面よりも、指針軸５の挿入側と反対側の上方に向けて突出していることにより、第１実施形態と同様、取付冶具３３を針取付部材３１の上面に配置させて針取付部材３１を指針軸５に取り付ける際に、取付冶具３３の下面における外周部が針取付部材３１の外径よりも大きくても、取付冶具３３と針本体３２との間に隙間Ｓ３を設けることができ、これにより取付冶具３３の下面が針本体３２の上面に接触することがないので、取付冶具３３が針本体３２の上面に傷を付けずに指針軸５に針取付部材３１を良好に取り付けることができる。
【００８７】
すなわち、この指針３０では、針本体３２の上面が、針取付部材３１の上面つまり鍔状部１１の上面よりも低い位置に形成されていることにより、取付冶具３３を針取付部材３１の上面に配置させた際に、針取付部材３１の上面と針本体３２の上面との段差によって、取付冶具３３の下面と針本体３２の上面との間に隙間Ｓ３を設けることができる。
【００８８】
このため、この指針３０では、針取付部材３１を指針軸５に取り付けるために、取付冶具３３を針取付部材３１の上面に配置させた際に、取付冶具３３の下面と針本体３２の上面との間に設けられた隙間Ｓ３によって、取付冶具３３の下面が針本体３２の上面に接触するのを確実に防ぐことができるので、針本体３２の上面に傷を付けずに指針軸５に針取付部材３１を良好に取り付けることができる。
【００８９】
また、この指針３０では、針取付部材３１の上面よりも低い針本体３２の上面の領域Ｅ３が、針取付部材３１に指針軸５を取り付けるための取付冶具３３が対応する範囲内であることにより、針本体３２の領域Ｅ３の範囲外に位置する針本体３２の上面を針取付部材３１の上面と同じか、それよりも高く形成しても、取付冶具３３が針本体３２の接触することがないので、針本体３２の上面に傷を付けることがない。
【００９０】
このため、この指針３０においても、針本体３２の領域Ｅ３の範囲外に位置する針本体３２の上面を、必ずしも針取付部材３１の上面よりも低く形成する必要はなく、針取付部材３１の上面と同じか、それよりも高く形成することができるので、第１実施形態と同様、針本体３２のデザイン性の自由度を高めることができる。
【００９１】
なお、上述した第１〜第３の実施形態では、針本体７、２１、３２の貫通孔９、２５を四角形状に形成し、針取付部材８、２２、３１の筒状部１０の外周面を針本体７、２１、３２の貫通孔９、２５と同じ四角形状に形成した場合について述べたが、この発明は、これに限らず、例えば針本体７、２１、３２の貫通孔９、２５を五角形、六角形状などの多角形状、あるいは楕円形状などの非円形状に形成し、針取付部材８、２２、３１の筒状部１０の外周面を針本体７、２１、３２の貫通孔９、２５と同じ五角形、六角形状などの多角形状、あるいは楕円形状などの非円形状に形成した構造であっても良い。
【００９２】
また、上述した第１〜第３の実施形態では、針取付部材８、２２、３１における一対の鍔状部１１の外形を円形状に形成した場合について述べたが、この発明は、必ずしも円形状に形成する必要はなく、五角形、六角形状などの多角形状、あるいは楕円形状など、自由な形状に形成しても良い。
【００９３】
さらに、上述した第１〜第３の実施形態では、指針式の腕時計に適用した場合について述べたが、この発明は、必ずしも腕時計である必要はなく、例えばトラベルウオッチ、目覚まし時計、置き時計、掛け時計などの各種の指針式の時計に適用することができる。また、この発明は、必ずしも時計である必要はなく、メータなどの各種の計器類にも広く適用することができる。
【００９４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９５】
（付記）
請求項１に記載の発明は、指針軸が挿入して取り付けられる金属製の針取付部材と、前記針取付部材の外周面に形成された合成樹脂製の針本体と、を備え、前記指針軸の挿入側と反対側に位置する前記針取付部材の一面が、これと同じ面方向に位置する前記針本体の一面よりも、前記指針軸の前記挿入側と反対側に向けて突出していることを特徴とする指針である。
【００９６】
請求項２に記載の発明は、請求項１に記載の指針において、前記針取付部材は、前記一面が前記針本体の前記一面と同一平面上に位置した状態で、前記針取付部材の前記一面に前記指針軸の前記挿入側と反対側に向けて突出する突出部が設けられていることを特徴とする指針である。
【００９７】
請求項３に記載の発明は、請求項１に記載の指針において、前記針本体の前記一面には、前記針取付部材の前記一面の外周部からその径方向に向けて離れるに従って、前記針取付部材の前記一面よりも次第に低くなる傾斜面が形成されていることを特徴とする指針である。
【００９８】
請求項４に記載の発明は、請求項１に記載の指針において、前記針本体の前記一面は、前記針取付部材の前記一面よりも低い位置に形成されていることを特徴とする指針である。
【００９９】
請求項５に記載の発明は、請求項１〜請求項４のいずれかに記載の指針において、前記針取付部材の前記一面よりも低い前記針本体の前記一面の領域は、前記針取付部材に前記指針軸を取り付けるための取付冶具が対応する範囲内であることを特徴とする指針である。
【０１００】
請求項６に記載の発明は、請求項１〜請求項５のいずれかに記載の指針において、前記針取付部材は、前記指針軸が挿入して取り付けられる筒状部と、前記筒状部の外周面における軸方向の両端に互いに対向して設けられた一対の鍔状部と、を備えており、前記針本体は、前記筒状部の外周面に接する貫通孔を備え、前記貫通孔における軸方向の両端に位置する縁部に前記一対の鍔状部が食い込んで前記一対の鍔状部間に挟まれた状態で、インサート成型によって前記針取付部材に一体に形成されていることを特徴とする指針である。
【０１０１】
請求項７に記載の発明は、請求項１〜請求項６のいずれかに記載の指針において、前記針取付部材の前記筒状部は、その外周面が非円形状に形成されており、前記針本体の前記貫通孔は、その内周面が前記筒状部の外周面と同じ非円形状に形成されていることを特徴とする指針である。
【０１０２】
請求項８に記載の発明は、請求項１〜請求項７のいずれかに記載された指針を備えていることを特徴とする時計である。
【符号の説明】
【０１０３】
１  時計モジュール
２  ハウジング
３  文字板
４  時計ムーブメント
５  指針軸
６、２０、３０  指針
７、２１、３２  針本体
８、２２、３１  針取付部材
９、２５  貫通孔
９ａ、２５ａ  縁部
１０  筒状部
１１  鍔状部
１２  軸取付孔
１３  突出部
１４、２７、３３  取付冶具
２３  リング部
２４  針部
２６  傾斜面
２７ａ、３３ａ  逃し凹部
Ｓ１、Ｓ２、Ｓ３  隙間
Ｅ１、Ｅ２、Ｅ３  領域
【図１】
2019002754.tif 000003
【図２】
2019002754.tif 000004
【図３】
2019002754.tif 000005
【図４】
2019002754.tif 000006
【図５】
2019002754.tif 000007
【図６】
2019002754.tif 000008
【図７】
2019002754.tif 000009
【図８】
2019002754.tif 000010
【図９】
2019002754.tif 000011